(57)【要約】【課題】着用者の足の踵部分の形状の違いを充分に意識してフィットするように踵部を非対称形に編成した靴下を提供する。【解決手段】靴下１０の踵部１２の内側には、身編部１１の下端から踵部１２の下方に延びる下端部が２つに分岐したＹ字状のゴアライン１３が設けられ、一方、靴下１０の踵部１２の外側には、身編部１１の下端から踵部１２の下方に延びる一本の直線状のゴアライン１６が設けられている。【選択図】図１
0003125430.tif 000002
【実用新案登録請求の範囲】
【請求項１】
口編部、身編部、踵部、足部、爪先部の順に編成し、前記踵部の内側及び外側の両方に前記身編部の下端から当該踵部下方に延びるゴアラインを設けた靴下において、前記踵部の内側及び外側の大きさ及び形状を着用者の足の踵部分にフィットするように非対称形に編成したことを特徴とする靴下。
【請求項２】
前記踵部の内側及び外側の大きさ及び形状を、前記踵部の内側及び外側に設けた前記ゴアラインの分岐数又は分岐方向を異にすることにより非対称形に編成したことを特徴とする請求項１に記載の靴下。
【請求項３】
前記踵部の内側及び外側の大きさ及び形状を、前記踵部の内側及び外側に設けた前記ゴアラインの長さを異にすることにより非対称形に編成したことを特徴とする請求項１に記載の靴下。
【考案の詳細な説明】
【技術分野】
【０００１】
本考案は、靴下の踵部を着用者の足の踵部分にフィットするように非対称形に編成した靴下に関する。
【背景技術】
【０００２】
従来の靴下は、着用者の足の踵部分の形状の違いをあまり意識することなく編成しているため、踵部の内側及び外側の大きさ及び形状が対称形に編成されている。
【０００３】
図７は従来の靴下の踵部内側の例を示す部分斜視図、図８は図７に示す靴下の踵部外側の例を示す部分斜視図である。
【０００４】
靴下は、口編部、身編部、踵部、足部、爪先部に大きく分けられ、この順に編成されるのが一般的であり、踵部１２０の内側（図７参照）及び外側（図８参照）の両方に身編部１１０の下端から踵部１２０下方に延びるゴアライン１３０ａ、１３０ｂが設けられている。このように、従来の靴下では、一対のゴアライン１３０ａ、１３０ｂが対称に現れるように設定されているため、踵部１２０の内側及び外側の大きさ及び形状が対称形に編成される。
【０００５】
一方、従来の靴下の欠陥を克服するために、着用者の足の踵へのフィット性の向上を図ることができる靴下の提案がなされている。
【０００６】
例えば、特開２００１−１６４４０５号公報には、足の踵部分を充分に包み込む余裕のある編地により踵部を作り、使用中に踵部編地のずれ落ち及び足底部でのたるみをなくす「靴下及びその編成方法」が開示されている（特許文献１）。
【０００７】
上記発明によれば、踵部の範囲を大きくし、かつ、踵中心部から後部下方に延びる第１のゴアラインの他に、足部側に更に第２のゴアラインを含む踵部構成のための２つの台形編地を設けているため、踵部の範囲を拡大し、ゆとりのある踵とし、これにより広い範囲で踵部をゆったりと包み着用時踵のずれ下がりがなく安定した着用感を得ることができるという効果を奏する。
【０００８】
また、特開２００４−１９０１５号公報には、アンクル丈の短靴下であっても口編部がずり落ちしない「靴下」が開示されている（特許文献２）。
【０００９】
上記発明によれば、踵編部の左右両側に、身編部または口編部の下端から真下方向よりも土踏まずの側の前方へ延びる別のゴアラインを設け、足の踵部のみでなく、足の甲と土踏まずへの当接部の編成形状もフィットするように改善したので、これらの踵部を含むより広い範囲の当接部のフィット効果を奏する。
【００１０】
しかしながら、上記各発明では、従来の靴下と同様に、踵部の内側及び外側の両方に一対のゴアラインが対称に現れるように設定されているため、踵部の内側及び外側の大きさ及び形状が対称形に編成されることから、着用者の足の踵部分の形状の違いを充分に意識しているとはいえない。
【００１１】
【特許文献１】特開２００１−１６４４０５号公報
【特許文献２】特開２００４−１９０１５号公報
【考案の開示】
【考案が解決しようとする課題】
【００１２】
本考案は、着用者の足の踵部分の形状の違いを充分に意識してフィットするように踵部を非対称形に編成した靴下を提供することを目的とする。
【課題を解決するための手段】
【００１３】
上記課題を解決するために、請求項１に記載の考案は、口編部、身編部、踵部、足部、爪先部の順に編成し、前記踵部の内側及び外側の両方に前記身編部の下端から当該踵部下方に延びるゴアラインを設けた靴下において、前記踵部の内側及び外側の大きさ及び形状を着用者の足の踵部分にフィットするように非対称形に編成したことを特徴とする。
【００１４】
また、請求項２に記載の考案について、請求項１に記載の前記踵部の内側及び外側の大きさ及び形状を、前記踵部の内側及び外側に設けた前記ゴアラインの分岐数又は分岐方向を異にすることにより非対称形に編成したことを特徴とする。
【００１５】
また、請求項３に記載の考案について、請求項１に記載の前記踵部の内側及び外側の大きさ及び形状を、前記踵部の内側及び外側に設けた前記ゴアラインの長さを異にすることにより非対称形に編成したことを特徴とする。
【考案の効果】
【００１６】
以上のように、本考案によれば、踵部の内側及び外側に設けたゴアラインの分岐数又は分岐方向を異にすることにより又はゴアラインの長さを異にすることにより踵部を非対称形に編成したことにより、着用者の足の踵部分の形状の違いを充分に意識してフィットする靴下を提供することができる。
【考案を実施するための最良の形態】
【００１７】
以下、本考案の実施形態について、図面を参酌しながら説明する。なお、本考案にかかる靴下は、以下の実施例に限定されるものではなく、ゴアラインの分岐数又は分岐方向や長さに関し、その主旨から逸脱しない限り適宜設計変更可能なものである。
【００１８】
（第一実施例）  
図１は本考案にかかる靴下の踵部内側の例を示す部分斜視図、図２は図１に示す靴下の踵部外側の例を示す部分斜視図である。
【００１９】
図１に示すように、靴下１０の踵部１２の内側には、身編部１１の下端から踵部１２の下方に延びるゴアライン１３が設けられている。このゴアライン１３は下端部が２つに分岐しＹ字状になっている（図１に示す記号１４、１５）。
【００２０】
一方、図２に示すように、靴下１０の踵部１２の外側には、身編部１１の下端から踵部１２の下方に延びるゴアライン１６が設けられている。このゴアライン１６は一本の直線状になっている。
【００２１】
なお、本実施例の逆のケースとして、靴下１０の踵部１２の内側にゴアライン１６を設け、靴下１０の踵部１２の外側にゴアライン１３、１４、１５を設けてもよい。
【００２２】
以上のように、踵部の内側（図１参照）及び外側（図２参照）に設けたゴアラインの分岐数又は分岐方向を異にすることにより、踵部の内側及び外側の大きさ及び形状を非対称形に編成する。これにより、着用者の足の踵部分の形状の違いを充分に意識してフィットする靴下を提供することができる。
【００２３】
（第二実施例）  
図３は本考案にかかる靴下の踵部内側の他の例を示す部分斜視図、図４は図３に示す靴下の踵部外側の他の例を示す部分斜視図である。
【００２４】
図３に示すように、靴下２０の踵部２２の内側には、身編部２１の下端から踵部２２の下方に延びるゴアライン２３が設けられている。このゴアライン２３は下端部が３つに分岐し魚の骨状になっている（図３に示す記号２４、２５、２６）。
【００２５】
一方、図４に示すように、靴下２０の踵部２２の外側には、身編部２１の下端から踵部２２の下方に延びるゴアライン２７が設けられている。このゴアライン２７は下端部が２つに分岐しＹ字状になっている（図４に示す記号２８、２９）。
【００２６】
なお、本実施例の逆のケースとして、靴下２０の踵部２２の内側にゴアライン２７、２８、２９を設け、靴下２０の踵部２２の外側にゴアライン２３、２４、２５、２６を設けてもよい。
【００２７】
以上のように、踵部の内側（図３参照）及び外側（図４参照）に設けたゴアラインの分岐数又は分岐方向を異にすることにより、踵部の内側及び外側の大きさ及び形状を非対称形に編成する。これにより、着用者の足の踵部分の形状の違いを充分に意識してフィットする靴下を提供することができる。
【００２８】
（第三実施例）  
図５は本考案にかかる靴下の踵部内側の他の例を示す部分斜視図、図６は図５に示す靴下の踵部外側の他の例を示す部分斜視図である。
【００２９】
図５に示すように、靴下３０の踵部３２の内側には、身編部３１の下端から踵部３２の下方に延びる短ゴアライン３３が設けられている。このゴアライン３３は一本の直線状になっている。
【００３０】
一方、図６に示すように、靴下３０の踵部３２の外側には、身編部３１の下端から踵部３２の下方に延びる長ゴアライン３４が設けられている。このゴアライン３４は一本の直線状になっている。
【００３１】
なお、本実施例の逆のケースとして、靴下３０の踵部３２の内側に長ゴアライン３４を設け、靴下３０の踵部３２の外側に短ゴアライン３３を設けてもよい。
【００３２】
以上のように、踵部の内側（図５参照）及び外側（図６参照）に設けたゴアラインの長さを異にすることにより、踵部の内側及び外側の大きさ及び形状を非対称形に編成する。これにより、着用者の足の踵部分の形状の違いを充分に意識してフィットする靴下を提供することができる。
【図面の簡単な説明】
【００３３】
【図１】本考案にかかる靴下の踵部内側の例を示す部分斜視図である。
【図２】図１に示す靴下の踵部外側の例を示す部分斜視図である。
【図３】本考案にかかる靴下の踵部内側の他の例を示す部分斜視図である。
【図４】図３に示す靴下の踵部外側の他の例を示す部分斜視図である。
【図５】本考案にかかる靴下の踵部内側の他の例を示す部分斜視図である。
【図６】図５に示す靴下の踵部外側の他の例を示す部分斜視図である。
【図７】従来の靴下の踵部内側の例を示す部分斜視図である。
【図８】図７に示す靴下の踵部外側の例を示す部分斜視図である。
【符号の説明】
【００３４】
１０、２０、３０、１００  靴下
１１、２１、３１、１１０  身編部
１２、２２、３２、１２０  踵部
１３  ゴアライン
１４、１５  分岐ゴアライン
１６  ゴアライン
２３  ゴアライン
２４、２５、２６  分岐ゴアライン
２７  ゴアライン
２８、２９  分岐ゴアライン
３３  短ゴアライン
３４  長ゴアライン
１３０ａ、１３０ｂ  ゴアライン
【図１】
0003125430.tif 000003
【図２】
0003125430.tif 000004
【図３】
0003125430.tif 000005
【図４】
0003125430.tif 000006
【図５】
0003125430.tif 000007
【図６】
0003125430.tif 000008
【図７】
0003125430.tif 000009
【図８】
0003125430.tif 000010